(57)【要約】【課題】劣化のあまり進んでいない記録領域に記録されたデータを交替記録する光ディスク装置を提供することを目的とする。【解決手段】光ディスク装置は、光ディスク１に予め記録されたデータを検証前に読み取って、光ヘッド２から光ディスク１に照射されるビームスポットの焦点位置及び照射位置と、イコライザ１０の中心周波数又は遮断周波数並びに増幅量と、２値化回路７の閾値と、最大再読取回数とのうち少なくとも１つで構成される読取条件の初期条件を、誤り量測定部６により測定された誤り量が最小となるように決定する。コントローラ１３は、決定した初期条件と異なる読取条件で、光ヘッド２により光ディスク１に記録されたデータを読み取って検証し、異常を検出した場合、光ディスク１の異なる位置に交替記録を行う。【選択図】図１
2008159119.tif 000002
【特許請求の範囲】
【請求項１】
光ビームを集光して光ディスクへ入射させる集光手段と、該集光手段を用いて前記光ディスクにデータを記録する記録手段と、前記集光手段を用いて前記データを読み取る読取手段と、該読取手段が読み取った前記データを検証する検証手段と、該検証手段が異常を検出した場合に前記光ディスクの異なる場所に前記データを交替記録する交替記録手段とを備える光ディスク装置において、
前記読取手段は、
前記光ディスクからの反射光より電気信号を生成する手段と、
前記電気信号を２値化して２値化信号を出力する２値化手段と、
前記２値化信号に含まれる誤りを検出して、誤り量を測定する誤り量測定手段と、
異なる読取条件で前記光ディスクに予め記録されているデータを読み取り、前記誤り量測定手段により誤り量を測定し、測定した誤り量を基に読取条件の初期条件を決定する初期条件決定手段とを
備え、
前記読取手段は、前記検証手段が検証する場合、前記初期条件決定手段が決定した初期条件と異なる読取条件で前記データを読み取るように構成してあることを
特徴とする光ディスク装置。
【請求項２】
前記読取手段は、前記検証手段が検証する場合、再読取を行う回数を制限するように構成してあることを特徴とする請求項１に記載の光ディスク装置。
【請求項３】
前記読取手段は、焦点調整手段を備え、前記検証手段が検証する場合、前記焦点調整手段により前記光ビームの焦点が合焦点から外れた状態で前記データを読み取るように構成してあることを特徴とする請求項１又は２に記載の光ディスク装置。
【請求項４】
前記読取手段は、前記光ビームのビームスポットの照射位置を調整する照射位置調整手段を備え、前記検証手段が検証する場合、前記照射位置調整手段により前記データが記録された前記光ディスクのトラックの中心から前記光ビームのビームスポットが外れた状態で前記データを読み取るように構成してあることを特徴とする請求項１及至３のいずれか１つに記載の光ディスク装置。
【請求項５】
前記読取手段は、前記２値化手段の異なる閾値で前記光ディスクに予め記録されているデータを読み取り、前記誤り量測定手段により誤り量を測定し、測定した誤り量を基に閾値の初期値を決定する初期閾値決定手段を備え、前記読取手段は、前記検証手段が検証する場合、前記初期閾値決定手段が決定した初期値と異なる閾値で前記データを読み取るように構成してあること
を特徴とする請求項１及至４のいずれか１つに記載の光ディスク装置。
【請求項６】
前記読取手段は、
前記電気信号を増幅して前記電気信号の波形を等化処理し、増幅帯域の中心周波数又は遮断周波数並びに増幅量が可変であるイコライザと、
該イコライザの異なる中心周波数又は遮断周波数で前記光ディスクに予め記録されているデータを読み取り、前記誤り量測定手段により誤り量を測定し、測定した誤り量を基に前記中心周波数又は遮断周波数の初期値を決定する初期周波数決定手段と、
前記イコライザの異なる増幅量で前記光ディスクに予め記録されているデータを読み取り、前記誤り量測定手段により誤り量を測定し、測定した誤り量を基に前記増幅量の初期値を決定する初期増幅量決定手段とを
備え、
前記検証手段が検証する場合、前記初期周波数決定手段が決定した初期値と異なる中心周波数又は遮断周波数並びに前記初期増幅量決定手段が決定した初期値と異なる増幅量で前記データを読み取るように構成してあること
を特徴とする請求項１及至５のいずれか１つに記載の光ディスク装置。
【発明の詳細な説明】
【技術分野】
【０００１】
本発明は、光ディスク上にデータの記録、検証及び交替記録を行う光ディスク装置に関する。
【背景技術】
【０００２】
従来ＣＤ−ＲＷ、ＤＶＤ（Ｄｉｇｉｔａｌ  Ｖｅｒｓａｔｉｌｅ  Ｄｉｓｃ）−ＲＷ、ＤＶＤ＋ＲＷ及びＤＶＤ−ＲＡＭ等の光ディスクにデータを記録する光ディスク装置には、記録後に記録データを読み取って元のデータと一致するか否かを検証して記録品質を確保しているものがある（例えば特許文献１参照）。検証の結果、データの不一致が検出された場合には、レーザの出力を上げてデータを再度記録し、又はデータを光ディスクの他の箇所に交替記録する。この交替記録の回数を低減する処理が特許文献２及び特許文献３に記載されている。検証時に異常が検出される場合、原因として光ディスク上のゴミ及び傷等の光ディスクの劣化がある。データの読み書きを行うにあたって、読取条件を光ディスクの記録領域に対して読取データに含まれる誤り量を低減するように最適化して読み取ったデータを検証する。また、検証時にエラーが発生した場合には所定回数の再読取を行って記録データの異常の有無を判定する。
【０００３】
従来技術の光ディスクの交替記録を説明する。図７は、従来技術における光ディスクの記録領域のフォーマットを示す模式図である。図８は、従来技術における交替記録の流れを概略的に示す模式図である。図８（ａ）は、最初にデータの記録が行われる場合、図８（ｂ）は、１回目の交替記録が行われる場合、図８（ｃ）は、２回目の交替記録が行われる場合の記録領域を模式的に示しており、斜線領域は、データが記録された領域を示す。図８中の白抜矢印は、元の記録領域から交替記録先の記録領域へ向かう方向を示している。図７に示すように、光ディスク１０１の記録領域は、内周から外周に向けて、記録状態の管理情報を記録する管理領域１０１ａ、データを記録するデータ領域１０１ｂ、及び交替記録される場合の交替先の記録領域である交替領域１０１ｃで構成されている。データ領域１０１ｂ及び交替領域１０１ｃは、それぞれ、＃１、＃２、…の複数のブロックで構成されている。光ディスク１０１にデータを記録する場合、記録に先立ち、光ディスク１０１上の管理領域１０１ａを読み取って読取条件の最適化を行う。
【０００４】
次に図８（ａ）に示すように光ディスク１０１のデータ領域１０１ｂの＃１にデータが記録されると共に、記録したデータの管理情報が管理領域１０１ａに追加記録される。光ディスク装置は、光ディスク１０１上のデータ領域１０１ｂの＃１に記録されているデータを読み取り、元のデータと読み取ったデータとを照合して検証する。両データに一致しない部分、すなわち異常が検出された場合、データの再読取を行って再度検証する。所定回数の再読取を行っても検証の結果、異常が検出された場合には、図８（ｂ）に示すように交替領域１０１ｃの＃１にデータの交替記録を行う。
【０００５】
交替記録を行った後に、交替領域１０１ｃの＃１のデータを読み取って正常に記録されているか否かを検証する。検証の結果、異常が検出された場合には、図８（ｃ）に示すように交替領域１０１ｃの＃２以降に順次、交替記録を行う。検証の結果、異常が検出されない場合には、記録データの検証を終了する。また、記録データがデータ領域１０１ｂの＃１に収まらない場合、データ領域１０１ｂの＃２以降に記録され、同様に検証が行われて検証結果に応じ、交替記録が行われる。データが光ディスク１０１上の劣化した領域に記録されており、その領域を読み取った場合、記録されたピット列からの反射光の強弱変化が減少し、又はノイズ等が増大して読取信号のＳ／Ｎ比は低下する。したがって、検証の結果、異常が検出されて交替記録されるため、高い記録品質が得られる。
【特許文献１】国際公開第ＷＯ２００４／０２３４８３パンフレット
【特許文献２】特開平１−９９１４０号公報
【特許文献３】特開２００４−３２６９３９号公報
【発明の開示】
【発明が解決しようとする課題】
【０００６】
しかるに、最適化された読取条件に基づいて読み取ったデータと元のデータを照合して検証する従来の方法では、劣化が進んでいない記録領域に記録されたデータを検証した場合に、検証の結果、異常が検出されず交替処理が行われないため、光ディスクの経時変化により将来読取が不可能になる、又は読取精度の劣る装置並びに振動等が存在する劣悪な環境では読取が不可能になるという問題があった。
【０００７】
本発明は斯かる事情に鑑みてなされたものであり、検証前に光ディスクに予め記録されているデータを読み取って誤り量が最小となるように読取条件の初期条件を決定する手段を備え、検証時に読取手段は、初期条件と異なる読取条件でデータを読み取るように構成することにより、交替記録を行う判定基準を下げて交替記録の頻度を増大させ、記録品質を向上させることが可能な光ディスク装置を提供することを目的とする。
【０００８】
本発明の他の目的は、検証時に読取手段は、再読取を行う回数を制限してデータを読み取るように構成することにより、交替記録を行う判定基準を下げて劣化の進んでいない記録領域の交替記録を行うことが可能な光ディスク装置を提供することにある。
【０００９】
本発明の他の目的は、検証時に読取手段は、光ビームの焦点が合焦点から外れた状態でデータを読み取るように構成することにより、交替記録を行う判定基準を下げて劣化の進んでいない記録領域の交替記録を行うことが可能な光ディスク装置を提供することにある。
【００１０】
本発明の他の目的は、検証時に読取手段は、光ビームのビームスポットをデータが記録された光ディスクのトラックの中心から面内に外れた状態に制御してデータを読み取るように構成することにより、交替記録を行う判定基準を下げて劣化の進んでいない記録領域の交替記録を行うことが可能な光ディスク装置を提供することにある。
【００１１】
本発明の他の目的は、検証前に光ディスクに予め記録されているデータを読み取って誤り量が最小となるように２値化手段の閾値の初期値を決定する手段を備え、検証時に読取手段は、初期値と異なる閾値でデータを読み取るように構成することにより、交替記録を行う判定基準を下げて劣化の進んでいない記録領域の交替記録を行うことが可能な光ディスク装置を提供することにある。
【００１２】
本発明の他の目的は、検証前に光ディスクに予め記録されているデータを読み取って誤り量が最小となるようにイコライザの増幅帯域の中心周波数又は遮断周波数並びに増幅量の初期値を決定する手段を備え、検証時に読取手段は、初期値と異なる値でデータを読み取るように構成することにより、交替記録を行う判定基準を下げて劣化の進んでいない記録領域の交替記録を行うことが可能な光ディスク装置を提供することにある。
【課題を解決するための手段】
【００１３】
本発明に係る光ディスク装置は、光ビームを集光して光ディスクへ入射させる集光手段と、該集光手段を用いて前記光ディスクにデータを記録する記録手段と、前記集光手段を用いて前記データを読み取る読取手段と、該読取手段が読み取った前記データを検証する検証手段と、該検証手段が異常を検出した場合に前記光ディスクの異なる場所に前記データを交替記録する交替記録手段とを備える光ディスク装置において、前記読取手段は、前記光ディスクからの反射光より電気信号を生成する手段と、前記電気信号を２値化して２値化信号を出力する２値化手段と、前記２値化信号に含まれる誤りを検出して、誤り量を測定する誤り量測定手段と、異なる読取条件で前記光ディスクに予め記録されているデータを読み取り、前記誤り量測定手段により誤り量を測定し、測定した誤り量を基に読取条件の初期条件を決定する初期条件決定手段とを備え、前記読取手段は、前記検証手段が検証する場合、前記初期条件決定手段が決定した初期条件と異なる読取条件で前記データを読み取るように構成してあることを特徴とする。
【００１４】
本発明にあっては、検証前に読取手段は、異なる読取条件で光ディスクに予め記録されているデータを読み取り、誤り量測定手段により誤り量を測定し、測定した誤り量を基に初期条件決定手段により読取条件の初期条件を決定する。検証時に読取手段は、初期条件と異なる読取条件でデータを読み取る。検証手段による検証の結果、異常を検出した場合に交替記録手段は、光ディスクの異なる位置に交替記録を行う。
【００１５】
本発明に係る光ディスク装置は、前記読取手段は、前記検証手段が検証する場合、再読取を行う回数を制限するように構成してあることを特徴とする。
【００１６】
本発明にあっては、検証時に読取手段は、再読取を禁止する等、再読取を行う回数を制限して記録されたデータを読み取る。検証手段による検証の結果、異常を検出した場合に交替記録手段は、光ディスクの異なる位置に交替記録を行う。
【００１７】
本発明に係る光ディスク装置は、前記読取手段は、焦点調整手段を備え、前記検証手段が検証する場合、前記焦点調整手段により前記光ビームの焦点が合焦点から外れた状態で前記データを読み取るように構成してあることを特徴とする。
【００１８】
本発明にあっては、検証時に読取手段は、焦点調整手段により光ビームの焦点が合焦点から外れた状態すなわちデフォーカス状態でデータを読み取る。検証手段による検証の結果、異常を検出した場合に交替記録手段は、光ディスクの異なる位置に交替記録を行う。
【００１９】
本発明に係る光ディスク装置は、前記読取手段は、前記光ビームのビームスポットの照射位置を調整する照射位置調整手段を備え、前記検証手段が検証する場合、前記照射位置調整手段により前記データが記録された前記光ディスクのトラックの中心から前記光ビームのビームスポットが外れた状態で前記データを読み取るように構成してあることを特徴とする。
【００２０】
本発明にあっては、検証時に読取手段は、照射位置調整手段により光ビームのビームスポットをデータが記録された光ディスクの正常な読取位置であるトラックの中心から面内に変位させてデータを読み取る。検証手段による検証の結果、異常を検出した場合に交替記録手段は、光ディスクの異なる位置に交替記録を行う。
【００２１】
本発明に係る光ディスク装置は、前記読取手段は、前記２値化手段の異なる閾値で前記光ディスクに予め記録されているデータを読み取り、前記誤り量測定手段により誤り量を測定し、測定した誤り量を基に閾値の初期値を決定する初期閾値決定手段を備え、前記読取手段は、前記検証手段が検証する場合、前記初期閾値決定手段が決定した初期値と異なる閾値で前記データを読み取るように構成してあることを特徴とする。
【００２２】
本発明にあっては、検証前に読取手段は、２値化手段の異なる閾値で光ディスクに予め記録されているデータを読み取り、誤り量測定手段により誤り量を測定し、測定した誤り量を基に初期閾値決定手段により閾値の初期値を決定する。検証時に読取手段は、初期値と異なる閾値でデータを読み取る。検証手段による検証の結果、異常を検出した場合に交替記録手段は、光ディスクの異なる位置に交替記録を行う。
【００２３】
本発明に係る光ディスク装置は、前記読取手段は、前記電気信号を増幅して前記電気信号の波形を等化処理し、増幅帯域の中心周波数又は遮断周波数並びに増幅量が可変であるイコライザと、該イコライザの異なる中心周波数又は遮断周波数で前記光ディスクに予め記録されているデータを読み取り、前記誤り量測定手段により誤り量を測定し、測定した誤り量を基に前記中心周波数又は遮断周波数の初期値を決定する初期周波数決定手段と、前記イコライザの異なる増幅量で前記光ディスクに予め記録されているデータを読み取り、前記誤り量測定手段により誤り量を測定し、測定した誤り量を基に前記増幅量の初期値を決定する初期増幅量決定手段とを備え、前記検証手段が検証する場合、前記初期周波数決定手段が決定した初期値と異なる中心周波数又は遮断周波数並びに前記初期増幅量決定手段が決定した初期値と異なる増幅量で前記データを読み取るように構成してあることを特徴とする。
【００２４】
本発明にあっては、検証前に読取手段は、イコライザの異なる中心周波数又は遮断周波数並びに増幅量で光ディスクに予め記録されているデータを読み取り、誤り量測定手段により誤り量を測定し、測定した誤り量を基に初期周波数決定手段及び初期増幅量決定手段により中心周波数又は遮断周波数並びに増幅量の初期値を決定する。検証時に読取手段は、初期値と異なる値でデータを読み取る。検証手段による検証の結果、異常を検出した場合に交替記録手段は、光ディスクの異なる位置に交替記録を行う。
【発明の効果】
【００２５】
本発明にあっては、検証前に光ディスクに予め記録されているデータを読み取って誤り量が最小となるように読取条件の初期条件を決定する手段を備え、検証時に読取手段は、初期条件と異なる読取条件でデータを読み取るように構成することにより、交替記録を行う判定基準を下げて光ディスクの劣化が進んでいない記録領域に対しても交替記録を行う。これにより、記録品質が向上し、劣悪な条件下で読み取る場合、及び将来、劣化がさらに進んだ場合でも光ディスクからの読取が可能となる。
【００２６】
本発明にあっては、検証時に読取手段は、再読取をする回数を制限してデータを読み取るように構成することにより、交替記録を行う判定基準を下げて光ディスクの劣化が進んでいない記録領域に対しても交替記録を行う。これにより、記録品質が向上し劣悪な条件下で読み取る場合、及び将来、劣化がさらに進んだ場合でも光ディスクからの読取が可能となる。
【００２７】
本発明にあっては、検証時に読取手段は、光ビームの焦点が合焦点から外れた状態でデータを読み取るように構成することにより、交替記録を行う判定基準を下げて光ディスクの劣化の進んでいない記録領域に対しても交替記録を行う。これにより、記録品質が向上し劣悪な条件下で読み取る場合、及び将来、劣化がさらに進んだ場合でも光ディスクからの読取が可能となる。
【００２８】
本発明にあっては、検証時に読取手段は、光ビームのビームスポットをデータが記録された光ディスクのトラックの中心から面内に外れた状態に制御してデータを読み取るように構成することにより、交替記録を行う判定基準を下げて光ディスクの劣化の進んでいない記録領域に対しても交替記録を行う。これにより、記録品質が向上し劣悪な条件下で読み取る場合、及び将来、劣化がさらに進んだ場合でも光ディスクからの読取が可能となる。
【００２９】
本発明にあっては、検証前に光ディスクに予め記録されているデータを読み取って誤り量が最小となるように２値化手段の閾値の初期値を決定する手段を備え、検証時に読取手段は、初期値と異なる閾値でデータを読み取るように構成することにより、交替記録を行う判定基準を下げて光ディスクの劣化が進んでいない記録領域に対しても交替記録を行う。これにより、記録品質が向上し、劣悪な条件下で読み取る場合、及び将来、劣化がさらに進んだ場合でも光ディスクからの読取が可能となる。
【００３０】
本発明にあっては、検証前に読取手段は、光ディスクに予め記録されているデータを読み取って誤り量が最小となるようにイコライザの増幅帯域の中心周波数又は遮断周波数並びに増幅量の初期値を決定する手段を備え、検証時に読取手段は、初期値と異なる値でデータを読み取るように構成することにより、交替記録を行う判定基準を下げて光ディスクの劣化が進んでいない記録領域に対しても交替記録を行う。これにより、記録品質が向上し、劣悪な条件下で読み取る場合、及び将来、劣化がさらに進んだ場合でも光ディスクからの読取が可能となる。
【発明を実施するための最良の形態】
【００３１】
以下、本発明をその実施の形態を示す図面に基づき具体的に説明する。図１は本発明の光ディスク装置の構成を示すブロック図である。光ディスク装置は、光ディスク装置を制御するためのＣＰＵ、ＲＯＭ及びＲＡＭ等からなるコントローラ１３（検証手段）を備えており、ＣＤ−ＲＷ、ＤＶＤ＋ＲＷ 、ＤＶＤ−ＲＷ及びＤＶＤ−ＲＡＭ等の書き換え可能な光ディスク１が装着される。光ディスク１は、ＳＰＭ（Ｓｐｉｎｄｌｅ  Ｍｏｔｏｒ）３によって所定の回転数で回転させられる。光ディスク１にデータを記録する場合、エンコーダ４は、コントローラ１３から与えられた記録データをエンコード処理して記録データ列に符号化し、光ヘッド２（集光手段）に出力する。
【００３２】
光ヘッド２（集光手段）は、図示しない半導体レーザ及び対物レンズを備えている。サーボ回路１２（照射位置調整手段、焦点調整手段）は、光ディスク１の記録領域に光ビームのビームスポットが位置するように対物レンズを光ディスク１の半径方向に移動させて、照射位置調整を行う。また、サーボ回路１２（焦点調整手段、照射位置調整手段）は、光ディスク１の記録面において光ビームのビームスポットが合焦点となるように対物レンズを光ディスク１に接離する方向に移動させて、焦点位置調整を行う。光ヘッド２は、エンコーダ４から与えられた記録データ列に従って光ビームを光ディスク１の記録領域に照射し、光ディスク１にデータを記録する。
【００３３】
光ディスク１に記録されたデータを読み取る場合、光ヘッド２は、記録時の光ビーム強度よりも低強度の光ビームをデータの記録領域に照射して走査し、光ヘッド２に備えられた図示しない光検出器で光ディスク１の記録領域からの反射光を検出する。光ヘッド２により検出された反射光は、アンプ回路からなるＲＦアンプ９によって電気信号に変換され、増幅されてＲＦ信号として出力される。イコライザ１０は、バンドパスフィルタ及び増幅回路からなる回路であり、ＲＦ信号に対してイコライジング条件設定部１１（初期周波数決定手段、初期増幅量決定手段）により設定された増幅帯域の中心周波数及び増幅量を基にして増幅し、等化波形処理を行う。等化波形処理されたＲＦ信号は、２値化回路（２値化手段）７によって２値化条件設定部８（初期閾値決定手段）により設定された閾値を基準に２値化信号に変換される。誤り量測定部（誤り量測定手段）６は、２値化信号に含まれる誤りを検出して誤り量を測定する。イコライジング条件設定部１１は、測定された誤り量を基にイコライザ１０の中心周波数及び増幅量の初期値を決定する。
【００３４】
２値化条件設定部８は、測定された誤り量を基に２値化回路７の閾値の初期値を決定する。デコーダ５は、２値化回路７が出力する２値化信号に対してデコード処理を行い記録データを復号化してコントローラ１３に出力する。また、光ディスク装置は、使用者に情報を通知する液晶ティスプレイ又はＬＥＤ（Ｌｉｇｈｔ  Ｅｍｉｔｔｉｎｇ  Ｄｉｏｄｅ）等からなる表示装置１４を備えており、記録が正常に終了したか否かを通知する。コントローラ１３は、復号化されたデータと元のデータを照合して検証し、検証の結果に応じて再読取又は交替記録を行う。本発明における読取条件は、再読取を行う最大の回数、光ビームのビームスポットの焦点位置及び照射位置、２値化回路７の閾値並びにイコライザ１０の中心周波数及び増幅量からなる。また、光ヘッド２、サーボ回路１２、ＲＦアンプ９、誤り量測定部６、２値化回路７、２値化条件設定部８、イコライザ１０及びイコライジング条件設定部１１は、本発明における初期読取条件決定手段を備えた読取手段として機能する。
【００３５】
次にＲＭＤデータの交替記録を例にして、本発明の処理を説明する。光ディスク１の記録領域のフォーマットについて、１例としてＤＶＤ−ＲＷの光ディスクの規格を挙げて説明する。図２は、光ディスク１の記録領域のフォーマットを示す模式図である。図２に示すように、光ディスク１の記録領域は、データを記録する領域であるデータ領域すなわちデータエリアから内周に向けてリードインゾーン及びＲインフォメーションエリアで構成される管理領域が設けられている。尚、Ｒインフォメーションエリアとリードインゾーンとの間には、領域を区切るためのリンキングロスエリアが設けられている。Ｒインフォメーションエリアは、光ヘッド２に内蔵されている半導体レーザの記録時の出力光強度の較正に用いられる情報が格納されるＰＣＡ（Ｐｏｗｅｒ  Ｃａｌｉｂｒａｔｉｏｎ  Ａｒｅａ）及び種々の記録領域の管理情報を記録するＲＭＡ（Ｒｅｃｏｒｄｉｎｇ  Ｍａｎａｇｅｍｅｎｔ  Ａｒｅａ）で構成されている。尚、ＰＣＡとＲＭＡとは、リンキングロスエリアにより分けられている。
【００３６】
図３は、ＲＭＡのフォーマットを示す模式図である。ＲＭＡは、管理情報が書き込まれる領域であり、内周から外周に向かってＲＭＡリードイン並びにＲＭＡセグメント＃１、＃２、＃３、＃４及び＃５が設けられている。ＲＭＡリードインには、ドライブ製造者ＩＤ、ドライブシリアルナンバー、ドライブモデルナンバー及びディスクＩＤ等の情報が記録されている。ＲＭＡセグメント＃１、＃２、…、＃５は、それぞれＲＭＤセット＃１、＃２、…、＃２８で構成されている。ここではＤＶＤ−ＲＷにおいてＰＯＷ方式で記録が行われる場合に用いられるＲＭＤフォーマット形式の１つであるフォーマット３ＲＭＤについて説明する。フォーマット３ＲＭＤでは、フォーマットの種類、記録状態、記録アドレス及び欠陥領域等の情報で構成されるＲＭＤデータが、最初にＲＭＡセグメント＃１のＲＭＤセット＃２に記録される。ＲＭＤセット＃１は、他のＲＭＤフォーマット形式で用いられる。ＲＭＤセット＃３、＃４、…、＃２８は、検証の結果、記録されたＲＭＤデータに異常が検出されて交替記録される場合の交替先の記録領域である。
【００３７】
光ディスク１にデータを記録する場合に、最初に光ディスク１を光ディスク装置に装着し、ＳＰＭ３により回転させる。コントローラ１３は、記録に先立ち、光ディスク１上のリードインゾーンに予め記録されているデータを読み取って読取条件の初期値を決定する。この読取条件の初期値の決定について説明をする。サーボ回路１２は、光ヘッド２の対物レンズの焦点位置及び照射位置を制御して、光ビームのビームスポットを光ディスク１上のリードインゾーンに位置決めする。次にサーボ回路１２は、光ビームをリードインゾーンに記録されたピット列に沿って走査させる。光ヘッド２の図示しない光検出器によって光ビームのビームスポットの反射光の光量が光検出器により電流に変換され、ＲＦアンプ９によって増幅されＲＦ信号として出力される。サーボ回路１２は、ＲＦアンプ９から出力されたＲＦ信号のＳ／Ｎ比が大きくなるように対物レンズの光ディスク１に対する面内方向及び接離方向の位置を制御して、光ビームのビームスポットの照射位置及び焦点位置の初期値を決定する。
【００３８】
イコライザ１０は、設定された中心周波数を中心とするＲＦ信号の周波数帯域を、設定された増幅量で増幅して、ＲＦ信号を等化波形処理する。イコラジング条件設定部１１は、イコライザ１０に異なる中心周波数及び増幅量を設定してリードインゾーンに記録されたデータを繰り返し読み取り、誤り量測定部６で測定された２値化信号に含まれる誤り量が最小となるように中心周波数及び増幅量の初期値を決定する。２値化回路７は、設定された閾値を超える信号をＨレベルに、下回る信号をＬレベルにすることによりＲＦ信号を２値化して２値化信号を出力する。２値化条件設定部８は、２値化回路７に異なる閾値を設定してリードインゾーンに記録されたデータを繰り返し読み取り、誤り量測定部６により測定される誤り量が最小となるように閾値の初期値を決定する。
【００３９】
データを光ディスク１に記録するために、エンコーダ４は、コントローラ１３から出力された記録データを所定のデータ変調方式に基づいてエンコード処理を行い、記録データ列に符号化して光ヘッド２に出力する。サーボ回路１２は、光ヘッド２の対物レンズの光ディスク１の半径方向及び接離方向を制御して光ビームのビームスポットを光ディスク１上のデータエリアに位置決めする。光ヘッド２は、記録データ列に従いデータ読取時より高いビーム強度を有する光ビームをパルス状に照射し、サーボ回路１２により光ビームのビームスポットをトラックに沿って移動させながらピット列を形成する。これにより、光ディスク１のデータエリアにデータが記録される。次に、データが記録された領域に関するＲＭＤデータが、同様にＲＭＤセット＃２に記録される。
【００４０】
コントローラ１３は、光ディスク１上のＲＭＤセット＃２にＲＭＤデータが正常に記録されているか否かを検証する。サーボ回路１２は、光ヘッド２から光ディスク１に照射される光ビームのビームスポットの照射位置を制御してＲＭＤセット＃２の領域に移動させ、記録時よりも低いビーム強度を有する光ビームを用いて記録されたピット列を走査する。光ヘッド２の図示しない光検出器によって光ビームのビームスポットの反射光の光量が電流に変換され、その信号がＲＦアンプ９によって電気信号として増幅されＲＦ信号として出力される。イコライザ１０は、記録に先立ってイコライジング条件設定部１１により決定された中心周波数及び増幅量の初期値に基づいてＲＦ信号を等化波形処理する。２値化回路７は、記録に先立って２値化条件設定部８によって決定された閾値の初期値に基づいてＲＦ信号を２値化して２値化信号を出力する。
【００４１】
デコーダ５は、２値化信号をデータ記録時に施されたデータ変調方式に基づいたデコード処理を行い、ＲＭＤデータを読み取る。コントローラ１３は、読み取ったＲＭＤデータを取り込み、元のＲＭＤデータと照合して検証する。コントローラ１３は、検証の結果、元のＲＭＤデータと読み取ったＲＭＤデータとに一致しない部分すなわち異常を検出した場合にコントローラ１３のＲＡＭに記憶されている再読取回数に１を加算する。コントローラ１３は、再読取回数が予めＲＯＭに記憶されている最大再読取回数以上であるか否かを判定し、最大再読取回数以上でないと判定した場合は、再度ＲＭＤセット＃２に記録されているＲＭＤデータを読み取り、再度検証を行う。コントローラ１３が最大再読取回数以上であると判定した場合、サーボ回路１２は、光ビームのビームスポットの照射位置を制御してＲＭＤセット＃３に移動させ、ＲＭＤデータの交替記録を行う。
【００４２】
最適な照射位置に制御された状態では、ビームスポットの中心は、データが記録されたトラックの中心上にある。コントローラ１３が異常を検出しなかった場合、サーボ回路１２は、ビームスポットの中心をトラックの中心から光ディスク１の面内方向に所定量を変位した位置に制御する。但し、ビームスポットは読取を行うトラックと重なる部分を有し、両隣のトラックと重なる部分はないようにサーボ回路１２によって制御される。この状態でサーボ回路１２は、光ビームをＲＭＤセット＃２に記録されたピット列に沿って走査してデータを読み取って元のデータと照合して検証を行う。コントローラ１３は、検証の結果、異常を検出した場合にＲＭＤセット＃３に交替記録を行う。
【００４３】
コントローラ１３が検証の結果、異常を検出しなかった場合、サーボ回路１２は、光ディスク１に照射されるビームスポットの焦点位置を光ディスク１の接離方向に所定量を変位させた位置に制御する。これにより、合焦点の状態で読み取る場合と比較して読取感度が低下した状態でＲＭＤセット＃２に記録されたデータを読み取って元のデータと照合して検証を行う。コントローラ１３は、検証の結果、異常を検出した場合にＲＭＤセット＃３に交替記録を行う。
【００４４】
コントローラ１３は、検証の結果、異常を検出しなかった場合、２値化回路７に設定されている閾値を２値化条件設定部８により決定された初期値と所定量異なる値に再設定し、ＲＭＤセット＃２に記録されたデータを再度読み取る。これにより、読取感度が低下した状態で読取を行い検証する。コントローラ１３は、検証の結果、異常を検出した場合にＲＭＤセット＃３に交替記録を行う。
【００４５】
コントローラ１３は、検証の結果、異常を検出しなかった場合にイコライザ１０に設定されている中心周波数及び増幅量をイコライジング条件設定部１１により決定された初期値と所定量異なる値に再設定し、ＲＭＤセット＃２に記録されたデータを再度読み取る。これにより、読取感度が低下した状態で読取を行い検証する。コントローラ１３は、検証の結果、異常を検出した場合にＲＭＤセット＃３に交替記録を行う。
【００４６】
コントローラ１３は、ＲＭＤセット＃３に交替記録を行った場合に、ＲＭＤセット＃３の記録データを読み取って検証する。コントローラ１３は、検証の結果、異常を検出した場合、ＲＭＤセット＃４以降に順次、交替記録を行う。光ビームのビームスポットの焦点位置及び照射位置の再設定、イコライザ１０の中心周波数及び増幅量の再設定、並びに２値化回路７の閾値の再設定後の全ての検証において、コントローラ１３は、検証の結果、異常を検出しなかった場合に処理を終了する。また、交替記録が繰り返し行われＲＭＤセット＃２８まで交替記録された状態で、コントローラ１３は、検証の結果、さらに異常を検出した場合に交替記録先のＲＭＤセットが存在しないため、光ディスク１に正常に記録することが出来ない旨を表示装置１４に表示させる。
【００４７】
図４、図５及び図６は、データ記録、検証及び交替記録の手順を示すフローチャートである。これらの処理は、コントローラ１３により実行される。光ディスク装置に装着された光ディスク１がＳＰＭ３により回転させられ、コントローラ１３は、ＲＡＭに記憶される記録カウンタＮに２を設定する（ステップＳ４０）。記録に先立ち、光ディスク１上のリードインゾーンを読み取り、合焦点位置への光ビームのビームスポットの焦点位置制御（フォーカシング制御）、トラックの中心位置への光ビームのビームスポットの照射位置制御（トラッキング制御）、イコライザ１０の中心周波数及び増幅量並びに２値化回路７の閾値の初期値の決定を行って、読取条件の初期条件を決定する（ステップＳ４１）。コントローラ１３は、光ディスク１のデータエリアにデータを記録すると共に、データが記録された領域の管理情報からなるＲＭＤデータを記録カウンタＮで指定されるＲＭＤセット＃Ｎに記録する（ステップＳ４２）。
【００４８】
コントローラ１３は、ＲＡＭに記憶されている再読取回数をクリアする（ステップＳ４３）。コントローラ１３は、光ディスク１のＲＭＤセット＃Ｎに記録されたＲＭＤデータを読み取る（ステップＳ４４）。コントローラ１３は、読み取ったＲＭＤデータと元のＲＭＤデータとを照合して検証する（ステップＳ４５）。コントローラ１３は、検証の結果、異常を検出したか否かを判定する（ステップＳ４６）。コントローラ１３は、異常を検出した場合（ステップＳ４６でＹＥＳ）、再読取回数がＲＯＭに予め記憶されている最大再読取回数以上であるか否かを判定する（ステップＳ４７）。
【００４９】
コントローラ１３は、最大再読取回数以上でないと判定した場合（ステップＳ４７でＮＯ）、再読取回数に１を加算し（ステップＳ４８）、ＲＭＤセット＃Ｎに記録されたデータの読取を行うステップＳ４４に処理を戻して再読取を行う。再読取回数が最大再読取回数以上であると判定した場合（ステップＳ４７でＹＥＳ）、記録カウンタＮに１を加算する（ステップＳ６５）。コントローラ１３は、記録カウンタＮが２８を超えているか否かを判定する（ステップＳ６６）。コントローラ１３は、記録カウンタＮが２８を超えていると判定した場合（ステップＳ６６でＹＥＳ）、光ディスク装置に装着されている光ディスク１に正常にデータを記録することが出来ない旨を表示装置１４に通知させて（ステップＳ６７）処理を終了する。コントローラ１３は、記録カウンタＮが２８を超えていないと判定した場合（ステップＳ６６でＮＯ）、ＲＭＤセット＃Ｎに交替記録を行い（ステップＳ６８）、再読取回数をクリアするステップＳ４３に処理を戻す。
【００５０】
コントローラ１３は、検証の結果、異常を検出したか否かを判定するステップＳ４６において、異常を検出しなかった場合（ステップＳ４６でＮＯ）、光ビームのビームスポットを合焦点位置から所定距離を変位させた位置に制御（デフォーカス制御）を行う（ステップＳ４９）。コントローラ１３は、光ディスク１のＲＭＤセット＃Ｎに記録されたＲＭＤデータを読み取る（ステップＳ５０）。コントローラ１３は、読み取ったＲＭＤデータと元のＲＭＤデータとを照合して検証する（ステップＳ５１）。コントローラ１３は、検証の結果、異常を検出したか否かを判定する（ステップＳ５２）。コントローラ１３は、異常を検出した場合（ステップＳ５２でＹＥＳ）、記録カウンタＮに１を加算する（ステップＳ６５）。コントローラ１３は、記録カウンタＮが２８を超えているか否かを判定する（ステップＳ６６）。コントローラ１３は、記録カウンタＮが２８を超えていると判定した場合（ステップＳ６６でＹＥＳ）、光ディスク装置に装着されている光ディスク１に正常にデータを記録することが出来ない旨を表示装置１４に通知させて（ステップＳ６７）処理を終了する。コントローラ１３は、記録カウンタＮが２８を超えていないと判定した場合（ステップＳ６６でＮＯ）、ＲＭＤセット＃Ｎに交替記録を行い（ステップＳ６８）、再読取回数をクリアするステップＳ４３に処理を戻す。
【００５１】
コントローラ１３は、異常を検出したか否かを判定するステップＳ５２において、異常を検出しなかった場合（ステップＳ５２でＮＯ）、光ビームのビームスポットを光ディスク１のトラックの中心から所定距離を面内に変位した位置に制御（デトラッキング制御）を行う（Ｓ５３）。コントローラ１３は、光ディスク１のＲＭＤセット＃Ｎに記録されたＲＭＤデータを読み取る（ステップＳ５４）。コントローラ１３は、読み取ったＲＭＤデータと元のＲＭＤデータとを照合して検証する（ステップＳ５５）。コントローラ１３は、検証の結果、異常を検出したか否かを判定する（ステップＳ５６）。
【００５２】
コントローラ１３は、異常を検出した場合（ステップＳ５６でＹＥＳ）、記録カウンタＮに１を加算する（ステップＳ６５）。コントローラ１３は、記録カウンタＮが２８を超えているか否かを判定する（ステップＳ６６）。コントローラ１３は、記録カウンタＮが２８を超えていると判定した場合（ステップＳ６６でＹＥＳ）、光ディスク装置に装着されている光ディスク１に正常にデータを記録することが出来ない旨を表示装置１４に通知させて（ステップＳ６７）処理を終了する。コントローラ１３は、記録カウンタＮが２８を超えていないと判定した場合（ステップＳ６６でＮＯ）、ＲＭＤセット＃Ｎに交替記録を行い（ステップＳ６８）、再読取回数をクリアするステップＳ４３に処理を戻す。
【００５３】
コントローラ１３は、異常を検出したか否かを判定するステップＳ５６において、異常を検出しなかった場合（ステップＳ５６でＮＯ）、２値化回路７に設定された閾値の初期値と所定量異なる閾値を再設定する（ステップＳ５７）。コントローラ１３は、光ディスク１のＲＭＤセット＃Ｎに記録されたＲＭＤデータを読み取る（ステップＳ５８）。コントローラ１３は、読み取ったＲＭＤデータと元のＲＭＤデータとを比較し照合して検証する（ステップＳ５９）。コントローラ１３は、検証の結果、異常を検出したか否かを判定する（ステップＳ６０）。コントローラ１３は、異常を検出した場合（ステップＳ６０でＹＥＳ）、記録カウンタＮに１を加算する（ステップＳ６５）。コントローラ１３は、記録カウンタＮが２８を超えているか否かを判定する（ステップＳ６６）。コントローラ１３は、記録カウンタＮが２８を超えていると判定した場合（ステップＳ６６でＹＥＳ）、光ディスク１に正常にデータを記録することが出来ない旨を表示装置１４にエラー通知させて（ステップＳ６７）、処理を終了する。コントローラ１３は、記録カウンタＮが２８を超えていないと判定した場合（ステップＳ６６でＮＯ）、ＲＭＤセット＃Ｎに交替記録を行い（ステップＳ６８）、再読取回数をクリアするステップＳ４３に処理を戻す。
【００５４】
コントローラ１３は、異常を検出したか否かを判定するステップＳ６０において、異常を検出しなかった場合（ステップＳ６０でＮＯ）、イコライザ１０に設定された中心周波数及び増幅量の初期値と所定量異なる中心周波数及び増幅量を再設定する（ステップＳ６１）。コントローラ１３は、光ディスク１のＲＭＤセット＃Ｎに記録されたＲＭＤデータを読み取る（ステップＳ６２）。コントローラ１３は、読み取ったＲＭＤデータと元のＲＭＤデータとを照合して検証する（ステップＳ６３）。コントローラ１３は、検証の結果、異常を検出したか否かを判定する（ステップＳ６４）。コントローラ１３は、異常を検出した場合（ステップＳ６４でＹＥＳ）、記録カウンタＮに１を加算する（ステップＳ６５）。コントローラ１３は、記録カウンタＮが２８を超えているか否かを判定する（ステップＳ６６）。コントローラ１３は、記録カウンタＮが２８を超えていると判定した場合（ステップＳ６６でＹＥＳ）、光ディスク１に正常にデータを記録することが出来ない旨を表示装置１４にエラー通知させて（ステップＳ６７）、処理を終了する。コントローラ１３は、記録カウンタＮが２８を超えていないと判定した場合（ステップＳ６６でＮＯ）、ＲＭＤセット＃Ｎに交替記録を行い（ステップＳ６８）、再読取回数をクリアするステップＳ４３に処理を戻す。コントローラ１３は、異常を検出しなかった場合（ステップＳ６４でＮＯ）、処理を終了する。
【００５５】
最大再読取回数に０が設定されている場合、再読取は行われないため、交替記録を行う判定基準が下がり、異常が検出される可能性が増大し、交替記録が行われる頻度が増大する。また、最大再読取回数は０に限るものではなく、従来技術における最大再読取回数よりも少ない値であればよい。最大再読取回数、光ビームのビームスポットをトラックの中心から変位させる距離及び焦点位置から変位させる距離、２値化回路７の閾値の初期値と再設定される閾値との差分量、並びにイコライザ１０の中心周波数及び増幅量の初期値と再設定される中心周波数及び増幅量との夫々の差分量は、異なる経年劣化を有する複数の光ディスクにデータの記録及び検証を行うことにより、経験的に求めると良い。
【００５６】
以上に述べたように本発明の検証処理では、光ディスク１の予めデータが記録された領域を検証前に読み取って決定した読取条件の初期条件と異なる条件で読み取ったデータを基に検証を行うため、交替記録を行う判定基準が下がり、光ディスク１上の劣化が進んでいない記録領域に記録されているデータの交替記録を行うことが可能となる。従って、記録品質が向上し、劣悪な条件で読み取る場合及び近い将来に劣化が進んだ場合でも、正常な読み取りが可能となる。
【００５７】
イコライザ１０として、増幅帯域の中心周波数及び増幅量が可変であるバンドパスフィルタ及び増幅回路からなる例を示したが、設定されている遮断周波数を超える成分を遮断し、設定されている増幅量に基づいて増幅し、遮断周波数及び増幅量が可変であるローパスフィルタ及び増幅回路から構成された回路でも良い。この場合、イコライジング条件設定部１１は、遮断周波数及び増幅量の初期値を決定し、検証する場合に初期値と異なる遮断周波数及び増幅量をイコライザ１０に再設定してデータを読み取るようにすると良い。
【００５８】
交替記録を行う判定基準を下げる方法として、最大再読取回数の制限を行う方法、光ビームのビームスポットの照射位置をトラックの中心から変位させる方法、光ビームのビームスポットの焦点位置を合焦点から変位させる方法、２値化回路７の閾値を初期値と異なる値に再設定する方法及びイコライザ１０の増幅量及び中心周波数を初期値と異なる値に再設定する方法を全て行う場合を示したが、これに限るものではなく、これらの方法のうち少なくとも１つを実行して読取感度を低下させて、光ディスク１上に記録されたＲＭＤデータを読み取り、検証しても良い。また、光ディスク１のＲＭＤセグメントに記録されたＲＭＤデータを検証し交替記録する場合について説明したが、これに限るものではなく、光ディスク１のデータエリアに記録したデータを検証し、新たに設けられた交替領域に交替記録する場合であっても良い。主にＤＶＤ−ＲＷについて説明したがＣＤ−ＲＷ、ＤＶＤ＋ＲＷ 、ＤＶＤ−ＲＡＭ等の書き換え可能な光ディスクに対しても同様に適用可能である。
【図面の簡単な説明】
【００５９】
【図１】本発明の光ディスク装置の構成を示すブロック図である。
【図２】光ディスクの記録領域のフォーマットを示す模式図である。
【図３】ＲＭＡのフォーマットを示す模式図である。
【図４】データ記録、検証及び交替記録の手順を示すフローチャートである。
【図５】データ記録、検証及び交替記録の手順を示すフローチャートである。
【図６】データ記録、検証及び交替記録の手順を示すフローチャートである。
【図７】従来技術における光ディスクの記録領域のフォーマットを示す模式図である。
【図８】従来技術における交替記録の流れを概略的に示す模式図である。
【符号の説明】
【００６０】
１  光ディスク
２  光ヘッド（集光手段）
３  ＳＰＭ
４  エンコーダ
５  デコーダ
６  誤り量測定部（誤り量測定手段）
７  ２値化回路（２値化手段）
８  ２値化条件設定部（初期閾値決定手段）
９  ＲＦアンプ
１０  イコライザ
１１  イコライジング条件設定部（初期周波数決定手段、初期増幅量決定手段）
１２  サーボ回路（照射位置調整手段、焦点調整手段）
１３  コントローラ
【図１】
2008159119.tif 000003
【図２】
2008159119.tif 000004
【図３】
2008159119.tif 000005
【図４】
2008159119.tif 000006
【図５】
2008159119.tif 000007
【図６】
2008159119.tif 000008
【図７】
2008159119.tif 000009
【図８】
2008159119.tif 000010